(57)【要約】【課題】構造が簡単で部品点数が少なく、回動操作ロッドに若干の変形が生じても、確実に底パネルを両側パネルに掛脱可能なロールボックスパレットを提供する。【解決手段】ロールボックスパレット１０の底パネル１４の掛止手段１５にカム式操作量伝達部１９，１９を配設したので、構造が簡単で部品点数が少なく、回動操作ロッド１６が若干変形しても、底パネル１４を両側パネル１２，１３に確実に掛脱できる。すなわち、回動操作ロッド１６が変形した場合には、回動中のカム２１，２１の外周面に従動節２２，２２をばね部材２９，２９のばね力により押し付ける。よって、回動操作ロッド１６の若干の振れに拘りなく、確実に回動操作部材１７の回動量を掛止部材１８，１８の軸線方向の移動量に変換できる。【選択図】　　　　図１
2004123161.tif 000002
【特許請求の範囲】
【請求項１】
背パネルと、
この背パネルの両側部に配設され、少なくとも一方がパレット内側へ折り畳み自在に軸支された右側パネルおよび左側パネルと、
前記背パネルの下部に起伏自在に軸支された底パネルと、
前記背パネルの両側部にそれぞれ掛脱される一対の掛止部材、および、各掛止部材を手動操作する回動操作部材が途中部に設けられた回動操作ロッドを有し、起こし状態の前記底パネルを背パネルに着脱自在に掛止する掛止手段とを備えたロールボックスパレットであって、
前記掛止手段が、前記回動操作ロッドを介して、前記回動操作部材の回動量を各掛止部材の軸線方向の移動量に変換するカム式操作量伝達部を有するロールボックスパレット。
【請求項２】
前記カム式操作量伝達部が、
前記回動操作ロッドの外周面の一部から突出したカムと、
両掛止部材の外周面から突出し、前記カムが外周面に当接する円錐形状の従動節と、
常時、両掛止部材を軸線方向の外側にそれぞれ付勢する一対のばね部材とを有している請求項１に記載のロールボックスパレット。
【請求項３】
前記従動節は、前記カムとの接触部分を除いた部分が、前記底パネルの裏面に平行な面に沿って切欠された請求項２に記載のロールボックスパレット。
【請求項４】
前記底パネルのカム式操作量伝達部付近には、該カム式操作量伝達部を外方から被い、前記回動操作ロッドと掛止部材との間隔を一定に保持する間隔保持部材が設けられた請求項１〜請求項３のうち、何れか１項に記載のロールボックスパレット。
【発明の詳細な説明】
【０００１】
【発明の属する技術分野】
この発明はロールボックスパレット、詳しくは荷物を運搬するために用いられるロールボックスパレットに関する。
【０００２】
【従来の技術】
従来、起伏自在な底パネルと周壁パネルを有するロールボックスパレットが知られている。
この周壁パネルは、通常、背パネルと、背パネルの両側にそれぞれ水平面内で回動自在に連結された左右の側パネルとによって、平面視してコの字形に構成されている。このコの字形の周壁パネルで区画された内側空間の底部には、平面視して矩形状の底パネルが、背パネル側の辺を中心にして垂直面内で回動自在、すなわち起伏自在に軸支されている。また、背パネルおよび左右の側パネルの下縁には、それぞれパレット移動用のキャスタが配設されている。
【０００３】
このロールボックスパレットの使用時（以下、パレット使用時という）には、左右の側パネルを水平面内で外側に開き、その後、底パネルをその背パネル側の辺を中心にして垂直面内で下方に回動して水平状態に伏せる。そして、この底パネルの上面に所定の荷物を載せ、キャスタを利用して荷物を運搬する。
また、ロールボックスパレットの収納時（以下、パレット収納時という）には、底パネルを後方の辺を中心にして垂直面内で上方に回動して起こし、その後、底パネルを外方から包むように左右の側パネルを水平面内で内側に折り畳む。
【０００４】
ところで、ロールボックスパレットには、起こした底パネルを背パネルに掛止する掛止手段が設けられている。
従来、掛止手段を備えたロールボックスパレットとして、例えば実用新案登録第２６０２２５８号公報に記載されたものが知られている。従来のロールボックスパレットは、起伏可能なパレット（底パネル）と両側壁（側パネル）とを有するロールボックスパレットにおいて、パレット前縁に沿って杵体（回動操作ロッド）が架設され、この杵体の中間部に設けられた回動用操作部がパレットの上面に形成された開口部と対向配置されるとともに、杵体の両端部に形成されたクランク状屈曲部の先端部分と、両側壁に配設されたフックとが掛脱可能に対向配置され、前記屈曲部の先端部分がフックに対して掛止方向に回動付勢された構造を有している。このロールボックスパレットによれば、パレットの上面開口部を通して回動用操作部を回動操作し、杵体の両端部に形成されたクランプ状屈曲部の先端部分と、両側壁に形成されたフックとを、同時に掛脱させることができる。
【０００５】
【発明が解決しようとする課題】
しかしながら、このような従来のロールボックスパレットには、以下の欠点があった。
すなわち、長尺な杵体の両端部に形成されたクランク状屈曲部の先端部分を両側壁の対応するフックに掛止する構造を採用していたので、長期間の使用により、杵体に曲げ応力が作用して杵体が変形しやすい。そのため、回動用操作部を利用してこの変形した杵体を回動させた場合、クランク状屈曲部に振れが生じやすくなっていた。その結果、クランク状屈曲部の先端部分を両側壁のフックに掛止できない場合があった。
その対策として、フックの内側の掛止凹部を大きくすることが考えられる。しかしながら、これでは掛止されたパレットのガタつきが大きく、パレットを両側壁にしっかり固定することができなくなるおそれがある。
【０００６】
そこで、発明者は、鋭意研究の結果、パレットの掛止手段として回動操作部材の回動量を各掛止部材の軸線方向の移動量に変換するカム式操作量伝達部を採用すれば、杵体に変形が生じて回動用操作部の回動時にクランク状屈曲部に振れが生じても、例えば回動中のカムの外周面に弾性的に従動節を押し付けるか、カムに形成されたカム溝に従動節を遊挿するという、カムと従動節との間に設けられたガタつき許容構造により、杵体の振れに拘りなく、確実に回動操作部材の回動量を掛止部材の軸線方向の移動量に変換することができることを見出し、この発明を完成させた。
【０００７】
【発明の目的】
この発明は、構造が簡単で部品点数が少なく、回動操作ロッドに若干の変形が生じても、それを許容して確実に底パネルを両側パネルに掛脱することができるロールボックスパレットを提供することを、その目的としている。
【０００８】
【課題を解決するための手段】
請求項１に記載の発明は、背パネルと、この背パネルの両側部に配設され、少なくとも一方がパレット内側へ折り畳み自在に軸支された右側パネルおよび左側パネルと、前記背パネルの下部に起伏自在に軸支された底パネルと、前記背パネルの両側部にそれぞれ掛脱される一対の掛止部材、および、各掛止部材を手動操作する回動操作部材が途中部に設けられた回動操作ロッドを有し、起こし状態の前記底パネルを背パネルに着脱自在に掛止する掛止手段とを備えたロールボックスパレットであって、前記掛止手段が、前記回動操作ロッドを介して、前記回動操作部材の回動量を各掛止部材の軸線方向の移動量に変換するカム式操作量伝達部を有するロールボックスパレットである。
【０００９】
右側パネルおよび左側パネルのうち、折り畳み自在になるのは、右側パネルだけでもよいし、左側パネルだけでもよい。さらには、両パネルでもよい。
掛止手段の構成は、回動操作部材が途中部に設けられた回動操作ロッドと、掛止部材とを有していれば限定されない。すなわち、この掛止部材の背パネルに対する掛止構造は限定されない。例えば、両掛止部材をピンとし、これらのピンを背パネルの両側部に穿設されたピン孔に抜き差し自在としてもよい。
この掛止手段によって底パネルが背パネルに掛止されるのは、底パネルを起こしたときである。底パネルを伏せた際は、掛止手段の一部または別の掛止手段などにより、左右の側パネルに底パネルが掛止される。
また、回動操作ロッドの太さ、長さなどは限定されない。例えば、底パネルの前側の辺の長さと略同じでもよい。またはそれより短くてもよい。
回動操作部材の形状、大きさなどは限定されない。さらに、底パネル上での回動操作部材の設置位置も限定されない。掛止部材の形状、大きさなども限定されない。
カム式操作量伝達部の構造は限定されない。要は、互いに接触するカムと従動節とにより、回動操作ロッドを介して回動操作部材の回動量を各掛止部材の軸線方向の移動量に変換することができればよい。
カムとしては、例えば板カム、正面カム、筒形カム、直胴カムなどを採用することができる。
【００１０】
請求項２に記載の発明は、前記カム式操作量伝達部が、前記回動操作ロッドの外周面の一部から突出したカムと、両掛止部材の外周面から突出し、前記カムが外周面に当接する円錐形状の従動節と、常時、両掛止部材を軸線方向の外側にそれぞれ付勢する一対のばね部材とを有している請求項１に記載のロールボックスパレットである。
カムの形状は、例えば円柱、楕円柱などを採用することができる。その他、回動操作ロッドの周方向に進むにつれて徐々にロッドの半径方向の距離が変化する湾曲した板片（板ばねでもよい）などでもよい。
ばね部材としては、例えばコイルばね、竹の子ばねなどを採用することができる。
【００１１】
請求項３に記載の発明は、前記従動節は、前記カムとの接触部分を除いた部分が、前記底パネルの裏面に平行な面に沿って切欠された請求項２に記載のロールボックスパレットである。
切欠されるのは、従動節のうち、カムとの接触部分を除いた部分の一部でもよいし、全部でもよい。
【００１２】
請求項４に記載の発明は、前記底パネルのカム式操作量伝達部付近には、該カム式操作量伝達部を外方から被い、前記回動操作ロッドと掛止部材との間隔を一定に保持する間隔保持部材が設けられた請求項１〜請求項３のうち、何れか１項に記載のロールボックスパレットである。
間隔保持部材は、カム式操作量伝達部を外方から完全に被ってもよい。または、カム式操作量伝達部の一部分を被ってもよい。
【００１３】
【作用】
請求項１に記載の発明によれば、パレット収納時に引き起こされた底パネルは、掛止手段を介して背パネルに掛止される。
一方、パレット使用時には、回動操作部材を回動操作ロッドと一体的に掛止解除方向に回動させることで、底パネルの背パネルからの掛止状態が解除される。すなわち、回動操作部材の回動量は、これと一体的に回動する回動操作ロッドと両掛止部材との間に介在されたカム式操作量伝達部により、両掛止部材の軸線方向に向かう直線的な移動量に変換される。これにより、背パネルの両側部に掛止された掛止部材が掛止解除方向に移動し、底パネルの掛止状態が解除される。
このように、掛止手段としてカム式操作量伝達部を有するものを採用したので、構造が簡単で部品点数が少なく、回動操作ロッドが若干変形しても、それを許容して底パネルを右側パネルおよび左側パネルに確実に掛脱することができる。すなわち、何らかの原因で回動操作ロッドが変形した際には、例えば回動中のカムの外周面に従動節を弾性的に押し付けるか、カムに形成されたカム溝に従動節を遊挿するという、カムと従動節との間に設けられたガタつき許容構造により、回動操作ロッドの振れに拘りなく、確実に回動操作部材の回動量を両掛止部材の軸線方向の移動量に変換することができる。
【００１４】
特に、請求項２に記載の発明によれば、回動操作部材の回動量は、回動操作部材と一体的に回動する回動操作ロッドから突出したカムと、このカムの外周面に外周面が当接し、掛止部材と一体化された円錐形状の従動節とを介して、両掛止部材の移動量に変換される。
商品の搬送などに利用されるロールボックスパレットは、取り扱いが荒くなりやすい。その結果、従動節は特にカムとの接触面が傷みやすい。しかしながら、ここでは従動節を堅固な円錐形状としたので、仮に外部から大きな衝撃力が作用しても、従動節のカムとの接触部分の変形を抑制することができる。これにより、掛止手段の作動の確実性をさらに高めることができる。
【００１５】
また、請求項３に記載の発明によれば、円錐形状の従動節のうち、カムの接触部分を除いた部分が、底パネルの裏面に平行な面に沿って切欠されている。これにより、従動節の体積が小さくなり、底パネルにおけるカム式操作量伝達部の収納スペースを小さくすることができる。
【００１６】
さらに、請求項４に記載の発明によれば、底パネルのカム式操作量伝達部付近に間隔保持部材を設けたので、底パネルの起伏操作時の衝撃からカム式操作量伝達部を保護することができる。しかも、この間隔保持部材により、回動操作ロッドと掛止部材との間隔が一定に保持される。その結果、回動操作ロッドの変形を原因とした底パネルの両側パネルへの掛脱の不具合をさらに抑えることができる。
【００１７】
【発明の実施の形態】
以下、この発明の実施例を図面を参照して説明する。
図２〜図４において、１０はロールボックスパレットで、このロールボックスパレット１０は、垂直に設けられる略矩形の背パネル１１と、背パネル１１の両側部にそれぞれ設けられた略矩形の左側パネル１２および右側パネル１３と、背パネル１１の両側部の下部後方の辺に、ピン１４ａを介して、起伏自在に軸支された底パネル１４と、起こした底パネル１４を背パネル１１に着脱自在に掛止する掛止手段１５とを備えている。
これら３枚のパネル１１〜１３は、それぞれ格子状をした金属製の枠板で、平面視してコの字形に組まれている。なお、左側パネル１２は、ヒンジ金具Ｈを介して、背パネル１１に折り畳み自在に連結されている。底パネル１４は平面視して矩形状をした金属製の平板であって、これらのパネル１１〜１３で区画された内側空間の底部に、垂直面内で回動自在、すなわち起伏自在に軸支されている。また、背パネル１１および左右の側パネル１２，１３の下縁には、ロールボックスパレット１０を移動させるための合計４個のキャスタＫがそれぞれ設けられている。掛止手段１５は、底パネル１４の前端部の裏面に設けられている。
【００１８】
次に、図１，図５〜図８を参照して、この掛止手段１５を詳細に説明する。
図１，図５〜図８に示すように、掛止手段１５は、底パネル１４の前端部に配された回動操作ロッド１６を介して、回動操作部材１７の回動量を一対の掛止部材１８，１８の軸線方向の移動量に変換する一対のカム式操作量伝達部１９，１９を有している。
回動操作ロッド１６は、底パネル１４の前辺と平行でこの前辺より若干短い金属製の丸棒で、その中間部に回動操作部材１７がクランク形状に屈曲形成されている。底パネル１４の前端部の中間位置には略矩形状の窓部１４ｂが形成されている。窓部１４ｂの両側壁には、その内部空間に向かって一対の突片１４ｃ，１４ｃがそれぞれ突出している。通常時、後述するコイルばね２３のばね力により横倒し状態に保持される回動操作部材１７は、両突片１４ｃ，１４ｃ間にかけ渡された状態で窓部１４ｂ内に収納される。
【００１９】
底パネル１４の前端部の両側付近の裏面には、各カム式操作量伝達部１９，１９を外方から被い、対応する回動操作ロッド１６の両端部と、ピン形状を有する掛止部材１８，１８との間隔を一定に保持する間隔保持ブラケット（間隔保持部材）２０，２０が配設されている。この間隔は、回動操作ロッド１６に固着された後述するカム２１，２１が、回動操作ロッド１６の回動時に掛止部材１８，１８に固着された後述する従動節２２の外周面に当接する間隔である。
各間隔保持ブラケット２０，２０は、底パネル１４を伏せた状態で正面視して上向きコの字形を有した金属片で、底パネル１４の裏面にビス止めされている。各間隔保持ブラケット２０，２０の両側板の元部には、それぞれの幅方向の中間位置に、前記回動操作ロッド１６の対応する端部を回動自在に遊挿するＵ字形状の切欠部２０ａ…が形成されている。一方、各間隔保持ブラケット２０，２０の両側板の先部には、それぞれの幅方向の中間位置に、前記対応する掛止部材１８，１８の両側部を軸線方向に移動自在に遊挿するピン孔２０ｂ…が形成されている。回動操作ロッド１６の両端部がそれぞれ切欠部２０ａ，２０ａ間に保持され、掛止部材１８，１８の両側部がそれぞれピン孔２０ｂ，２０ｂ間に保持されることで、回動操作ロッド１６と掛止部材１８とは互いに軸線方向を同一方向に揃え、一定間隔を保った平行状態で底パネル１４の厚さ方向に配置される。
【００２０】
回動操作ロッド１６の両端部の外周面の一部には、小さい円柱形状のカム２１，２１がそれぞれ固着されている。また、回動操作ロッド１６の一端部付近には、短尺なコイルばね２３が外挿されている。コイルばね２３の一端部は回動操作ロッド１６の一端部付近に突設された短尺ピン１６ａに掛止されている。一方、コイルばね２３の他端部は、底パネル２３のコイルばね２３と対峙する部分に固着されたばね当て片２４のばね当て面に押し当てられている。このコイルばね２３のばね力により、回動操作部材１７は、窓部１４ｂの両突片１４ｃ，１４ｃ間にかけ渡された状態で窓部１４ｂ内に収納される。
【００２１】
一方、両掛止部材１８，１８の長さ方向の中間部には、従動節２２，２２が外嵌されている。両従動節２２，２２は、外方に向かって徐々に先細り化した円錐形状である。ただし、カム２１，２１との接触部分を除いた部分、具体的には上向きコの字形を有する間隔保持ブラケット２０，２０の奥板側の部分が、この奥板の内面と平行に切欠されている。各奥板の内面は、底パネル１４の裏面と平行である。
各従動節２２，２２の外周面は、回動操作ロッド１６の回動時、対応するカム２１，２１の外周面にそれぞれ当接自在となっている。各カム２１，２１と各従動節２２，２２とは、対応する間隔保持ブラケット２０，２０の内部空間にそれぞれ配置されている。従動節２２，２２は円錐形状である。ただし、カム２１，２１との接触部分を除いた部分、具体的には上向きコの字形を有する間隔保持ブラケット２０，２０の奥板側の部分が、奥板の内面と平行に切欠されている。各間隔保持ブラケット２０，２０の奥板の内面は、底パネル１４の裏面と平行である。
【００２２】
両掛止部材１８，１８には、間隔保持ブラケット２０，２０の回動操作部材１７側の側板と、対応する従動節２２，２２の回動操作部材１７側の面との間に、一対のばね部材２９，２９がそれぞれ外挿されている。両ばね部材２９，２９は、常時、両従動節２２，２２を間隔保持ブラケット２０，２０の外側の側板に付勢状態で押し付ける。両ばね部材２９，２９はコイルばねである。従動節２２，２２の間隔保持ブラケット２０，２０の側板に対する押し付け時、対応する掛止部材１８，１８の先端部が、底パネル１４の前端部の両側板に形成された貫通孔１４ｄ，１４ｄから出し入れ自在に突出する。回動操作部材１７が横倒しされ、かつ従動節２２，２２が間隔保持ブラケット２０，２０の側板に押し付けられた状態において、従動節２２，２２の大径側の端部の外周面に、カム２１，２１の一端部が近接する位置が、前記カム２１，２１の回動操作ロッド１６の両端部における固着位置となる（図７）。
【００２３】
次に、このロールボックスパレット１０の使用方法を説明する。
パレット使用時には、左側パネル１２を、ヒンジ金具Ｈを中心にして水平面内で外側に開く。この際、背パネル１１と左側パネル１２との間の角度、および、背パネル１１と右側パネル１３との間の角度はそれぞれ９０度とし、この状態で保持されるものとする。
次いで、起こし状態の底パネル１４の窓部１４ｂの中に片手を差し込み、回動操作部材１７を握って、これを約９０度回動させる。これにより、回動操作ロッド１６がカム２１，２１とともに約９０度だけ回動する。回動操作部材１７の回動前、カム２１，２１の一端部は従動節２２，２２の大径側の端部の外周面に近接している。そのため、カム２１，２１が回動操作ロッド１６の軸線を中心に回動すると、底パネル１４の厚さ方向を含む面に沿った断面を正面視した際、すなわち図７および図８において、その回動に伴ってカム２１，２１が徐々に下方に向かって起立していく。図７中、ｄ１は回動操作部材１７の回動前における回動操作ロッド１６の軸線からカム２１の下端までの長さである。図８中、ｄ２は回動操作部材１７の９０度回動後における回動操作ロッド１６の軸線からカム２１の下端までの長さを示す。回動後の長さｄ２は、回動前の長さｄ１よりも長い。
【００２４】
このとき、対応する間隔保持ブラケット２０，２０内において、掛止部材１８，１８は各ばね部材２９，２９のばね力により、その軸線方向の位置が可変である。そのため、従動節２２，２２は、図７および図８中におけるカム２１，２１の起立に伴い、各従動節２２，２２の外周面上におけるカム２１，２１との接触位置が徐々に小径側に変化しながら、ばね部材２９，２９のばね力に抗して、従動節２２，２２が掛止部材１８，１８と一体的に回動操作部材１７側に移動していく。これにより、各掛止部材１８，１８の先端部が、背パネル１１の対応するピン孔３０ａから抜き取られる。
その後、底パネル１４を、ピン１４ａを中心にして垂直面内で下方に回動させ、底パネル１４を略水平状態になるまで伏せる。この際、底パネル１４は左側パネル１２，右側パネル１３の下部枠に載置され、底パネル１４の両側枠が、左側パネル１２，右側パネル１３の下部に配された図示しない開き止め金具にそれぞれ掛止される。こうして、ロールボックスパレット１０が組み立てられる。その後、底パネル１４上に荷物を載せ、キャスタＫを利用して、この荷物を運搬する。
【００２５】
パレット収納時には、底パネル１４を、ピン１４ａを中心にして垂直面内において上方に回動させ、略垂直状態まで起こす。この際、それぞれの掛止部材１８，１８の先端部が対応するロック金具３０に衝突し、掛止部材１８，１８は外方に反れたロック金具３０，３０の湾曲面に沿って先部に案内されながら、ばね部材２９，２９のばね力に抗して底パネル１４内に押し込まれていく。掛止部材１８，１８がピン孔３０ａと合致した時点で、ばね部材２９，２９のばね力によって、掛止部材１８，１８がピン孔３０ａに差し込まれ、掛止される。
その後、この背パネル１１を外方から包むように左側パネル１２を水平面内で内側に折り畳む。こうして折り畳まれたロールボックスパレット１０は、必要に応じてキャスタＫを利用し、作業者により保管場所まで運搬される。
【００２６】
このように、掛止手段１５としてカム式操作量伝達部１９，１９を具備したものを採用したので、構造が簡単で部品点数が少なく、回動操作ロッド１６に若干の変形が生じても、それを許容して確実に底パネル１４を両側パネル１２，１３に掛脱することができる。すなわち、何らかの原因で回動操作ロッド１６が変形した際には、回動中のカム２１，２１の外周面に従動節２２，２２が弾性的に押し付けられているので、カム２１，２１と従動節２２，２２との間に設けられたガタつき許容構造により、回動操作ロッド１６の振れに拘りなく、確実に回動操作部材１７の回動量を掛止部材１８，１８の軸線方向の移動量に変換することができる。
【００２７】
また、従動節２２，２２が堅固な円錐形状であるので、ロールボックスパレット１０が手荒く取り扱われ、カム式操作量伝達部１９，１９に大きな衝撃力を受けた場合でも、従動節２２，２２のカム２１，２１との接触部分（外周部）に変形が発生しにくい。その結果、掛止手段１５の作動の確実性をさらに高めることができる。
そして、円錐形状の従動節２２，２２のうち、カム２１，２１の接触部分を除いた部分を底パネル１４の裏面に平行な面に沿って切欠したので、従動節２２，２２の体積が小さくなり、底パネル１４におけるカム式操作量伝達部１９，１９の収納スペースを小さくすることができる。
さらに、底パネル１４のカム式操作量伝達部１９，１９付近に間隔保持ブラケット２０，２０をそれぞれ設けたので、底パネル１４の起伏操作時の衝撃からカム式操作量伝達部１９，１９を保護することができる。しかも、この間隔保持ブラケット２０，２０により、回動操作部材１７と掛止部材１８，１８との間隔が一定に保たれることから、回動操作ロッド１６の変形を原因とした底パネル１４の両側パネル１２，１３への掛脱の不具合をさらに抑えることができる。
【００２８】
【発明の効果】
請求項１に記載の発明によれば、掛止手段としてカム式操作量伝達部を有するものを採用したので、何らかの原因で回動操作ロッドに若干の変形が生じても、カムと従動節との間に設けられたガタつき許容構造により、回動操作ロッドの振れに拘りなく、確実に回動操作部材の回動量を両掛止部材の軸線方向の移動量に変換することができる。
【００２９】
特に、請求項２に記載の発明によれば、カム式操作量伝達部が、回動操作ロッドの外周面の一部から突出したカムと、両掛止部材の外周面から突出した従動節と、両掛止部材を軸線方向の外側に付勢する一対のばね部材とを有し、特に従動節を堅固な円錐形状としたので、手荒い取り扱いによってロールボックスパレットに大きな衝撃力が作用しても、従動節のカムとの接触部分に変形が発生しにくい。その結果、掛止手段の作動の確実性をさらに高めることができる。
【００３０】
また、請求項３に記載の発明によれば、円錐形状の従動節のうち、カムの接触部分を除いた部分を底パネルの裏面に平行な面に沿って切欠したので、従動節の体積が小さくなり、底パネルにおけるカム式操作量伝達部の収納スペースを小さくすることができる。
【００３１】
さらに、請求項４に記載の発明によれば、底パネルのカム式操作量伝達部付近に間隔保持部材を設けたので、底パネルの起伏操作時の衝撃からカム式操作量伝達部を保護することができる。しかも、この間隔保持部材により、回動操作部材と掛止部材との間隔が一定に保たれることから、回動操作ロッドの変形を原因とした底パネルの両側パネルへの掛脱の不具合をさらに抑えることができる。
【図面の簡単な説明】
【図１】この発明の一実施例に係るロールボックスパレットの底パネルの要部拡大底面図である。
【図２】この発明の一実施例に係るロールボックスパレットの平面図である。
【図３】この発明の一実施例に係るロールボックスパレットの正面図である。
【図４】この発明の一実施例に係るロールボックスパレットの側面図である。
【図５】この発明の一実施例に係るロールボックスパレットの底パネルの底面図である。
【図６】この発明の一実施例に係るロールボックスパレットの底パネルの正面図である。
【図７】この発明の一実施例に係るロールボックスパレットの底パネルの掛止部材の掛止状態を示す要部拡大断面図である。
【図８】この発明の一実施例に係るロールボックスパレットの底パネルの掛止部材の掛止解除状態を示す要部拡大断面図である。
【符号の説明】
１０　ロールボックスパレット、
１１　背パネル、
１２　左側パネル、
１３　右側パネル、
１４　底パネル、
１５　掛止手段、
１６　回動操作ロッド、
１７　回動操作部材、
１８　掛止部材、
１９　カム式操作量伝達部、
２０　間隔保持ブラケット（間隔保持部材）、
２１　カム、
２２　従動節、
２９　ばね部材。
【図１】
2004123161.tif 000003
【図２】
2004123161.tif 000004
【図３】
2004123161.tif 000005
【図４】
2004123161.tif 000006
【図５】
2004123161.tif 000007
【図６】
2004123161.tif 000008
【図７】
2004123161.tif 000009
【図８】
2004123161.tif 000010